(57)【要約】【課題】  ストレッチャーの排水能力を飛躍的に高め、水上であるか地上であるかに拘わらず、無用な搬送労力が強いられる弊害を回避するとともに、被搬送者に対する悪影響を回避する。【解決手段】  被搬送者Ｈを載せるマットレス部２及びこのマットレス部２を搬送するための搬送用部材４ａ…を備えてなる万能ストレッチャー１であって、被搬送者Ｈを載せる防水性を有するマットレス部２と、所定の厚さを有し、かつフレキシブル性を有するとともに、マットレス部２とほぼ同じ大きさに形成することにより、マットレス部２の下に敷いた状態で当該マットレス部２に取付けてなる合成樹脂素材により形成した台座パネル部３と、マットレス部２における上面部２ｕの被搬送者Ｈが当接する部位Ｘｕ及びマットレス部２における下面部２ｄの台座パネル部３が当接する部位Ｘｄを覆う所定の寸法Ｌｍに選定した網目Ｍ…を有する通水ネット部５とを備える。【選択図】  図１
2019025232.tif 000002
【特許請求の範囲】
【請求項１】
被搬送者を載せるマットレス部及びこのマットレス部を搬送するための搬送用部材を、少なくとも備えてなる万能ストレッチャーであって、被搬送者を載せる防水性を有するマットレス部と、所定の厚さを有し、かつフレキシブル性を有するとともに、前記マットレス部とほぼ同じ大きさに形成することにより、前記マットレス部の下に敷いた状態で当該マットレス部に取付けてなる合成樹脂素材により形成した台座パネル部と、前記マットレス部における上面部の少なくとも被搬送者が当接する部位及び前記マットレス部における下面部の少なくとも前記台座パネル部が当接する部位を覆う所定の寸法に選定した網目を有する通水ネット部とを備えてなることを特徴とする万能ストレッチャー。
【請求項２】
前記マットレス部は、袋状の被覆部材と、この被覆部材の内部に収容した圧縮可能な弾性充填材と、前記被覆部材に設けることにより少なくともこの被覆部材の内部と外部間を開閉する機能を有する給排口部とを備えることを特徴とする請求項１記載の万能ストレッチャー。
【請求項３】
前記マットレス部は、前記弾性充填材の圧縮時に、ロール状に巻回可能に構成することを特徴とする請求項１又は２記載の万能ストレッチャー。
【請求項４】
前記台座パネル部は、表面が滑りにくい第一の合成樹脂素材を用いた上側パネル体と表面が滑りやすい第二の合成樹脂素材を用いた下側パネル体を有する二層構造により構成することを特徴とする請求項１記載の万能ストレッチャー。
【請求項５】
前記通水ネット部は、合成樹脂素材により形成することを特徴とする請求項１記載の万能ストレッチャー。
【請求項６】
前記通水ネット部は、前記網目を０．８〜１．４平方ミリメートルの範囲に選定することを特徴とする請求項１又は５記載の万能ストレッチャー。
【発明の詳細な説明】
【技術分野】
【０００１】
本発明は、被搬送者を載せるマットレス部及びこのマットレス部を搬送するための搬送用部材を備えてなる万能ストレッチャーに関する。
【背景技術】
【０００２】
一般に、怪我人や患者等の被搬送者を運ぶストレッチャー（担架）は広く知られているが、その基本的な用途（機能）は地上を搬送することを想定したものである。一方、海やプールで溺れた人を搬送するなど、水上でストレッチャーを使用したい場合も少なくなく、このような用途を想定したストレッチャーも提案されている。
【０００３】
従来、この種のストレッチャーとしては、特許文献１で開示される担架及び特許文献２で開示される担架が知られている。同文献１の担架は、軽量かつコンパクトであって、収納及び運搬が容易である上、山林渓谷などの急な曲がり角での蛇行運搬や水中救助活動などが容易に行える担架の提供を目的としたものであり、具体的には、３〜８本の短尺支持ベルトと、両側端縁部２本の長手支持ベルトとが固定されてなる長方形状ベルト格子上に、ネットシートが固定され、短尺支持ベルトの両端部に握持用把手が取り付けられ、該ネットシートの長手方向両側端縁部に設けられた支持ベルトに沿って、気体注入膨張式棒状浮体が装着されたものである。また、同文献２の担架は、水から陸上に曳きあげる救助者の肉体的な負担を軽減するとともに、水から陸上に曳きあげるまで、及び陸上に曳きあげた後の運搬においても、被救助者の気道を確保することができる担架の提供を目的としたものであり、具体的には、担架は、被救助者の胴体をささえるシートと、頭部をささえる頭部受けと、シートの周囲に設けられ、頭部受けの両側に張り出した空気室と、空気室のうちシートと頭部受けとの間に形成され、肩部より低い位置で頭部をささえるとともに、膨らみにより被救助者の肩部をささえる肩部支持部分と、被救助者のほぼ肩部から頸部にかけた位置をささえる部位の両側部に設けられた一対の取っ手と、空気室に空気を供給して膨らますための給気弁とを備えて構成したものである。
【先行技術文献】
【特許文献】
【０００４】
【特許文献１】特開２００４−１４８０５７号公報
【特許文献２】実開平７−４０３９６号公報
【発明の概要】
【発明が解決しようとする課題】
【０００５】
しかし、上述した特許文献１及び２に開示される担架をはじめ、従来のストレッチャー（担架）は、次のような解決すべき課題も存在した。
【０００６】
第一に、水上であるか地上であるかに拘わらず、被救助者を載せたストレッチャー（担架）に残留水分などが保持される場合、搬送時の重さが大きくなり無用な搬送労力を強いられるとともに、被救助者にも悪影響を及ぼす虞れがある。したがって、ストレッチャーにおける排水能力は、水上で使用するストレッチャーの重要な性能の一つとなるが、従来におけるこの種の担架は、このストレッチャー性能に関してはほとんど考慮されていないのが実情である。
【０００７】
第二に、水上で使用することを想定するため、いわばゴムボートの原理、即ち、空気を封入した浮輪の原理に基づく変更形態として構成され、水上での使用が優先された構成となるなど、そのまま地上で使用するには返って使いにくい事態も生じる。具体的には、空気室の存在により全体が大きく（幅広に）なる傾向があり、搬送しにくいとともに、狭い階段等では搬送できない事態も生じる虞れがあるなど、水陸両用（万能性）を確保する観点からは不十分となる。
【０００８】
第三に、この種のストレッチャーは、事故や悪天候等の環境下で使用されることも少なくないとともに、被救助者を搬送する目的で使用されるため、搬送時の安定性及び安全性の確保が要請される。しかし、空気室の存在は、万が一、岩石や破片等で穴が空くなどにより内部の空気が漏れた場合、致命的な事態を招くことになり、搬送時の安定性及び安全性の観点からは必ずしも十分とはいえない。
【０００９】
本発明は、このような背景技術に存在する課題を解決した万能ストレッチャーの提供を目的とするものである。
【課題を解決するための手段】
【００１０】
本発明は、上述した課題を解決するため、被搬送者Ｈを載せるマットレス部２及びこのマットレス部２を搬送するための搬送用部材４ａ，４ｂ，４ｃ…を、少なくとも備えてなる万能ストレッチャー１であって、被搬送者Ｈを載せる防水性を有するマットレス部２と、所定の厚さを有し、かつフレキシブル性を有するとともに、マットレス部２とほぼ同じ大きさに形成することにより、マットレス部２の下に敷いた状態で当該マットレス部２に取付けてなる合成樹脂素材により形成した台座パネル部３と、マットレス部２における上面部２ｕの少なくとも被搬送者Ｈが当接する部位Ｘｕ及びマットレス部２における下面部２ｄの少なくとも台座パネル部３が当接する部位Ｘｄを覆う所定の寸法Ｌｍに選定した網目Ｍ…を有する通水ネット部５とを備えてなることを特徴とする。
【００１１】
この場合、発明の好適な態様により、マットレス部２は、袋状の被覆部材１１と、この被覆部材１１の内部に収容した圧縮可能な弾性充填材１２と、被覆部材１１に設けることにより少なくともこの被覆部材１１の内部と外部間を開閉する機能を有する給排口部１３とを備えて構成できるとともに、このマットレス部２は、弾性充填材１２の圧縮時に、ロール状に巻回可能に構成することができる。一方、台座パネル部３は、表面が滑りにくい第一の合成樹脂素材Ｒｕを用いた上側パネル体３ｕと表面が滑りやすい第二の合成樹脂素材Ｒｄを用いた下側パネル体３ｄを有する二層構造により構成することができる。他方、通水ネット部５は、合成樹脂素材Ｒｎにより形成することができる。なお、通水ネット部５の網目Ｍ…は、０．８〜１．４平方ミリメートルの範囲に選定することが望ましい。
【発明の効果】
【００１２】
このような構成を有する本発明に係る万能ストレッチャー１によれば、次のような顕著な効果を奏する。
【００１３】
（１）  特に、マットレス部２における上面部２ｕの少なくとも被搬送者Ｈが当接する部位Ｘｕ及びマットレス部２における下面部２ｄの少なくとも台座パネル部３が当接する部位Ｘｄを覆う所定の寸法Ｌｍに選定した網目Ｍ…を有する通水ネット部５を設けたため、被搬送者を載せた万能ストレッチャー１に残留水分等が存在する場合であっても、通水ネット部５により円滑かつ迅速に排水させることができ、万能ストレッチャー１の排水能力を飛躍的に高めることができる。これにより、水上であるか地上であるかに拘わらず、搬送時の重さが大きくなり無用な搬送労力が強いられる弊害を回避できるとともに、被搬送者に対する悪影響も回避することができる。
【００１４】
（２）  好適な態様により、マットレス部２を、袋状の被覆部材１１と、この被覆部材１１の内部に収容した圧縮可能な弾性充填材１２と、被覆部材１１に設けることにより少なくともこの被覆部材１１の内部と外部間を開閉する機能を有する給排口部１３とを備えて構成すれば、ゴムボートのような空気室は存在しないため、全体の大きさは、地上で使用する一般的な担架とほぼ同等の大きさに構成することができる。この結果、狭い階段等でも搬送できるなど、水上及び地上のどちらで使用する場合でも、搬送しにくい弊害は生じない。しかも、水上及び地上のどちらで使用する場合でも、或いは事故や悪天候等の環境下で使用される場合でも、搬送時の安定性及び安全性が確保され、水陸両用の観点から最適な万能ストレッチャー１として提供することができる。
【００１５】
（３）  好適な態様により、マットレス部２を、弾性充填材１２の圧縮時に、ロール状に巻回可能に構成すれば、フレキシブル性を有する台座パネル部３と一緒に巻回可能になるため、全体のサイズダウンを図ることができる。したがって、水上及び地上のどちらで使用する場合であっても、その保管性及び携帯性を高めることができ、結果的に、迅速に使用することができる。
【００１６】
（４）  好適な態様により、台座パネル部３を、表面が滑りにくい第一の合成樹脂素材Ｒｕを用いた上側パネル体３ｕと表面が滑りやすい第二の合成樹脂素材Ｒｄを用いた下側パネル体３ｄを有する二層構造により構成すれば、マットレス部２を台座パネル部３の上面にズレることなく安定に保持できる。また、地上で使用する場合、引き擦ることにより、一人でも容易かつ円滑に搬送することができるとともに、水上で使用する場合、海中の岩場等に当たってもマットレス部２を確実に保護することができる。
【００１７】
（５）  好適な態様により、通水ネット部５を、合成樹脂素材Ｒｎにより形成すれば、樹脂成形工程により量産可能になるため、高品質で強度の大きい通水ネット部５を容易かつ低コストに得ることができる。
【００１８】
（６）  好適な態様により、通水ネット部５の網目Ｍ…を、０．８〜１．４平方ミリメートルの範囲に選定すれば、海等で使用する場合であっても砂が網目Ｍ…を通して入り込む弊害を防止できるとともに、海水の確実な排水性（通水性）を確保できるなど、通水ネット部５における網目Ｍ…の最適化を図ることができる。
【図面の簡単な説明】
【００１９】
【図１】本発明の好適実施形態に係る万能ストレッチャーの原理的構成を示す断面正面図、
【図２】同万能ストレッチャーの機能説明図、
【図３】同万能ストレッチャーの構成部材を明示する分解斜視図、
【図４】同万能ストレッチャーの一部抽出拡大図を含む平面図、
【図５】同万能ストレッチャーの水上における使用状態を示す斜視図、
【図６】同万能ストレッチャーをロール状に巻回した状態を示す斜視図、
【図７】同万能ストレッチャーの作用説明図、
【発明を実施するための形態】
【００２０】
次に、本発明に係る好適実施形態を挙げ、図面に基づき詳細に説明する。
【００２１】
まず、本実施形態に係る万能ストレッチャー１の構成について、図１〜図５を参照して説明する。
【００２２】
万能ストレッチャー１は、主要部材として、一枚のマットレス部２，一枚の台座パネル部３，一又は二以上の搬送用部材４ａ，４ｂ，４ｃ…及び通水ネット部５を備える。
【００２３】
この場合、マットレス部２は、図１〜図３に示すように、被覆部材１１，弾性充填材１２及給排口部１３を備え、被搬送者（被救助者）Ｈを寝かせた状態で載せることができる大きさであって、所定の厚さにより全体が長方形となるように構成する。
【００２４】
被覆部材１１は、例示の場合、図１に示すように、三層のシート材、即ち、内面に位置する第一層となるポリ塩化ビニルシート層と、外面に位置する第三層となるポリ塩化ビニルシート層と、第一層と第三層間に挟まれた第二層となる強化布層により一体化した一枚の防水性を有するシート材を使用し、このシート材により袋状に構成する。そして、袋状に構成した被覆部材１１の内部に、圧縮可能な弾性充填材１２を収容（充填）する。弾性充填材１２としては、米国バイナルテクノロジー社製の発泡樹脂材を用いることができる。また、被覆部材１１の角部付近には、この被覆部材１１の内部と外部間を開閉する機能を有する給排口部１３を設ける。したがって、給排口部１３は、少なくとも、被覆部材１１に取付けた給排口本体１３ｍと、この給排口本体１３ｍに対して外側から着脱するネジ式のキャップ１３ｃを備える。
【００２５】
このように、マットレス部２を構成するに際し、袋状の被覆部材１１と、この被覆部材１１の内部に収容した圧縮可能な弾性充填材１２と、被覆部材１１に設けることにより少なくともこの被覆部材１１の内部と外部間を開閉する機能を有する給排口部１３とを備えて構成すれば、ゴムボートのような空気室は存在しないため、全体の大きさは、地上で使用する一般的な担架とほぼ同等の大きさに構成することができる。この結果、狭い階段等でも搬送できるなど、水（Ｓ）上及び地上のどちらで使用する場合でも、搬送しにくい弊害は生じない。しかも、水（Ｓ）上及び地上のどちらで使用する場合でも、或いは事故や悪天候等の環境下で使用される場合でも、搬送時の安定性及び安全性が確保され、水陸両用の観点から最適な万能ストレッチャー１として提供することができる。
【００２６】
なお、袋状の被覆部材１１を製作するに際しては、上下二枚の被覆部材用シートを用意し、この二枚の被覆部材用シートを重ね合わせるとともに、四端辺の全周囲に沿って固着すればよい。これにより、被覆部材１１の周囲に沿って所定幅Ｌｆを有する枠状のフランジ部２１が形成される。このフランジ部２１の前後に位置する辺縁部２１ｆ，２１ｒは、それぞれ後述する台座パネル部３への取付片として用いる。このため、各辺縁部２１ｆ，２１ｒのそれぞれには等間隔に配した三つ（一般的には複数）のパネル取付孔２２…を設ける。さらに、図３に示すように、マットレス部２の上面部２ｕと下面部２ｄ間には、所定間隔おきに止着部２３…を設け、被覆部材１１に収容した弾性充填材１２の一側への偏りを防止する。
【００２７】
また、マットレス部２は、全体が防水性を有するように構成する。マットレス部２の全体が防水性を有するとは、被搬送者Ｈを載せた状態の万能ストレッチャー１が水（Ｓ）に浮くことを意味する。したがって、必ずしも完全防水を意味するものではなく、例えば、弾性充填材１２は防水性を有しないが、袋状に構成した被覆部材１１の防水性が確保され、内部への水の進入が阻止される場合，被覆部材１１の防水性は確保されないが、弾性充填材１２の防水性が確保される場合，被覆部材１１及び弾性充填材１２の防水性が完全には確保されないが、弾性充填材１２の素材比重が低く、水が浸透しても水に浮く場合，など、被搬送者Ｈを載せた状態の万能ストレッチャー１が水（Ｓ）に浮くことを条件に各種態様が包含される。
【００２８】
このような構造を有するマットレス部２は、キャップ１３ｃを給排口本体１３ｍから取り外し、外から加圧すれば、内部の空気を排出することができる。そして、最終の排出状態まで加圧し、キャップ１３ｃを装着すれば、図２（ａ）に示す圧縮モードにすることができる。一方、この圧縮モードにおいて、キャップ１３ｃを給排口本体１３ｍから取り外せば、圧縮した弾性充填材１２は、自らの復元力（弾性復帰力）により膨張拡大する。この結果、空気が自動で吸入され、適度のクッション性を有する図２（ｂ）に示す使用モードにすることができる。
【００２９】
一方、台座パネル部３は、所定の厚さＬｄ（例示は、２〔ｍｍ〕）を有し、かつフレキシブル性を有する合成樹脂素材により全体をフレキシブルパネル体として一体的に製作する。例示の台座パネル部３は、図１に示すように、第一の合成樹脂素材Ｒｕを用いた上側パネル体３ｕと第二の合成樹脂素材Ｒｄを用いた下側パネル体３ｄの二層構造により構成した。第一の合成樹脂素材Ｒｕとしては、表面が滑りにくいポリプロピレン素材等を用いるとともに、第二の合成樹脂素材Ｒｄとしては、表面が滑りやすいポリエチレン素材等用いることが望ましい。このように、台座パネル部３を、表面が滑りにくい第一の合成樹脂素材Ｒｕを用いた上側パネル体３ｕと表面が滑りやすい第二の合成樹脂素材Ｒｄを用いた下側パネル体３ｄを有する二層構造により構成すれば、マットレス部２を台座パネル部３の上面にズレることなく安定に保持できる。また、地上で使用する場合、引き擦ることにより、一人でも容易かつ円滑に搬送することができるとともに、水上で使用する場合、海中の岩場等に当たってもマットレス部２を確実に保護できる利点がある。なお、台座パネル部３として、市販品を用いる場合には、厚さＬｄが２〔ｍｍ〕の筒中プラスチック工業株式会社製のマルチレイヤーＴＰＯ（サーモポリオレフィン）系合成樹脂が好適である。このようなＴＰＯ系合成樹脂を用いれば、万能ストレッチャー１を引き擦って搬送する際の最適な性能を確保できる。
【００３０】
さらに、台座パネル部３は、図３に示すように、マットレス部２とほぼ同じ大きさに形成するとともに、四隅には、内側へ凹状に切欠いた切欠部３１…を形成する。そして、台座パネル部３の前後に位置する二つの各短辺の近傍には、複数（例示は三つ）のマットレス取付孔３２…をそれぞれ一定間隔おきに形成するとともに、台座パネル部３の左右に位置する二つの各長辺の近傍には、複数組（例示は四組）となる一対の紐係合孔３３，３３…をそれぞれ一定間隔おきに形成する。
【００３１】
そして、紐係合孔３３，３３…には、図３に示す係止紐３５…を取付ける。この場合、用意した係止紐３５の両端を一対の紐係合孔３３，３３に対して下面側から差し込み、上面側で両端を固定する。これにより、輪になる係止紐３５を一対の紐係合孔３３，３３に取付けることができる。図３は一つの係止紐３５のみを示すが、実施形態の場合、図４及び図５に示すように、台座パネル部３の後側（足側）から片側三本の計六本を設けて構成した。
【００３２】
他方、搬送用部材４ａ，４ｂ，４ｃ…は、万能ストレッチャー１を搬送するための手段であり、引張強度及び耐久性に優れた高分子繊維素材を用いて帯状に製作する。図５に示す４ａは前搬送用部材であり、マットレス部２における前辺の左右端間に縫合等により取付けて用いる。この搬送用部材４ａは、地上で使用する場合には、搬送者が手で持ち、引張ったり持ち上げることにより搬送できるとともに、海Ｓやプール等の水上で使用する場合には、この前搬送用部材４ａに引張ロープ４ａｓを取付けることにより、人的に引張り、或いはボートや水上オートバイ等により搬送できる。４ｂは後搬送用部材であり、マットレス部２における後辺の左右端間に縫合等により取付けて用いる。この後搬送用部材４ｂを設ければ、特に、地上では、二人の搬送者がこの後搬送用部材４ｂと前搬送用部材４ａをそれぞれ手で持ち、持ち上げることにより搬送できる。さらに、図３に仮想線で示す４ｃは横搬送用部材であり、マットレス部２における側辺の近傍に位置する下面に縫合等により取付けて用いる。この横搬送用部材４ｃは、特に、三人以上の搬送者がいる場合に補助的に用いることができる。なお、図３は一つの横搬送用部材４ｃのみを示すが、この横搬送用部材４ｃ…は、左右の側辺の前後位置に計四つ配することが望ましい。
【００３３】
これらの搬送用部材４ａ，４ｂ，４ｃ…は、一例として示したものであり、用途（使用目的）、或いは機能性を付加する観点、更には標準取付及びオプションを含め、様々な形態により実施できるとともに、様々な位置を選定して取付可能である。また、取付数量も任意である。
【００３４】
通水ネット部５は、基本構成として、マットレス部２における上面部２ｕの少なくとも被搬送者Ｈが当接する部位Ｘｕ及びマットレス部２における下面部２ｄの少なくとも台座パネル部３が当接する部位Ｘｄを覆う所定の寸法Ｌｍに選定した網目Ｍ…を有する構成を備える。
【００３５】
具体的には、図３に示すように、マットレス部２の全体形状よりもやや大きい長方形状のシートとなる二枚のネット材５ｕ，５ｄを用意し、一方のネット材５ｕを上側に配し、かつ他方のネット材５ｄを下側に配することにより、二枚のネット材５ｕと５ｄの周縁同士を固着すれば、カバー状となる通水ネット部５を得ることができる。このように、通水ネット部５を、カバー状に構成すれば、二枚のネット材５ｕ，５ｄによりマットレス部２の上面部２ｕ及び下面部２ｄを挟み、周囲における少なくとも一部を縫い合わすことにより、容易に製作できるため、製作コストの削減に寄与できるとともに、確実な装着を行える利点がある。
【００３６】
ネット材５ｕ（ネット材５ｄも同じ）は、ポリエステル等の合成樹脂素材Ｒｎにより一体に成形することが望ましい。なお、天然の繊維素材を用いることにより一定の通水性を有する網状に縫製することも可能であるが、合成樹脂素材Ｒｎを用いれば、樹脂成形工程による量産が可能になり、高品質で強度の高い通水ネット部５を容易かつ低コストに得れる利点がある。特に、上述したように、カバー状に製作する場合には、図４に示すように、二枚のネット材５ｕと５ｄの周縁同士を所定幅Ｌｃで折り返し、熱溶着等により容易に固着可能となる。
【００３７】
また、ネット材５ｕは、所定のメッシュにより構成した網目Ｍ…を有し、図４に示すように、この網目Ｍの一辺の寸法Ｌｍは、０．８〜１．４ミリメートル（０．８〜１．４平方ミリメートル）の範囲に選定することが望ましい。例示は、１．０ミリメートルに選定した。さらに、網目Ｍと隣接する網目Ｍ間の寸法Ｌｎも、概ね０．８〜１．４ミリメートルの範囲に選定することができる。このように、通水ネット部５の網目Ｍ…として、０．８〜１．４平方ミリメートルの範囲に選定すれば、海Ｓ等で使用する場合であっても砂が網目Ｍ…を通して入り込む弊害を防止できるとともに、海水の確実な排水性（通水性）を確保できるなど、通水ネット部５における網目Ｍ…の最適化を図れる利点がある。
【００３８】
一方、上側のネット材５ｕには、マットレス部２に設けた給排口部１３を露出させる円孔部５ｕｈを、当該給排口部１３に対応する位置に形成するとともに、マットレス部２に設けたパネル取付孔２２…（及び台座パネル部３に設けたマットレス取付孔３２…）に対応する位置に、上下面に貫通する切込溝５ｕｊ…を前後計六個所に形成する。他方、下側のネット材５ｄにも、マットレス部２に設けたパネル取付孔２２…及び台座パネル部３に設けたマットレス取付孔３２…に対応する位置には、上下面に貫通する切込溝５ｄｊ…を前後計六個所に形成するとともに、下側のネット材５ｄには、さらに、マットレス部２に設けた横搬送用部材４ｃ…を挿通させる上下面に貫通する切込溝５ｄｃ…を、当該横搬送用部材４ｃ…の位置及び数量に対応して形成する。
【００３９】
次に、本実施形態に係る万能ストレッチャー１の製作方法について、図１〜図５を参照して説明する。なお、以下の製造方法は、一例であり、例示の製造方法に限定されるものではない。
【００４０】
まず、図３に示すように、主要部材として、マットレス部２，ネット材５ｕ及び５ｄ，台座パネル部３を用意する。この場合、マットレス部２，ネット材５ｕ，ネット材５ｄ及び台座パネル部３は、予め、中間アセンブリとしてそれぞれ製作する。
【００４１】
この際、マットレス部２に対しては、図３における図示は省略したが、前搬送用部材４ａ及び後搬送用部材４ｂを、マットレス部２の前後にそれぞれ縫合等により取付ける。また、必要により、マットレス部２の左右の所定位置における計四個所には、仮想線で示す横搬送用部材４ｃ…をそれぞれ縫合等により取付ける。
【００４２】
また、下側のネット材５ｄにはバックルベルト４１…を取付ける。例示の場合、三つ（一般的には複数）のバックルベルト４１を用意し、ネット材５ｄの下面に縫合等により取付ける。一つのバックルベルト４１は、図４に示すように、一端に雌側バックルメンバ４１ｊｐを設けた雌側ベルト部４１ｐと一端に雄側バックルメンバ４１ｊｑを設けた雄側ベルト４１ｑにより構成するとともに、この雌側バックルメンバ４１ｊｐと雄側バックルメンバ４１ｊｑはバックル本体４１ｊを構成し、着脱機能を有する公知のバックルベルトを利用することができる。
【００４３】
したがって、バックルベルト４１をネット材５ｄに取付ける場合には、雌側ベルト部４１ｐの他端を、ネット材５ｄの下面における右辺（図４中の下側）の近傍であって、台座パネル部３における右側の係止紐３５に対応する位置に取付けるとともに、雄側ベルト４１ｑの他端を、ネット材５ｄの下面における左辺（図４中の上側）の近傍であって、台座パネル部３における左側の係止紐３５に対応する位置に取付ける。さらに、残りの二つのバックルベルト４１，４１もそれぞれネット材５ｄの下面における対応する位置に同様に取付けることができる。
【００４４】
そして、ネット材５ｕとネット材５ｄは、上下に重ね合わせ、この状態で左右における側辺同士を熱溶着等により固着すれば、前後に開口したチューブ状の通水ネット部５を得ることができる。
【００４５】
この通水ネット部５は、前後に開口するため、一方の開口から内部にマットレス部２を収容する。定位置に収容したなら、各横搬送用部材４ｃ…を対応する各切込溝５ｄｃ…を通してネット材５ｄの下方へ引き出すとともに、各雌側バックルメンバ４１ｊｐ…及び各雄側バックルメンバ４１ｊｑ…は、図３〜図５に示すように、台座パネル部３における対応する位置に配された各係止紐３５…の中を通して上側のネット材５ｕの上方へ導出させる。
【００４６】
また、図４及び図６に示す固定具６１…により、ネット材５ｕに設けた切込溝５ｕｊ…，マットレス部２に設けたパネル取付孔２２…，ネット材５ｄに設けた切込溝５ｄｊ…及び台座パネル部３に設けたマットレス取付孔３２…間を固定する。固定具６１としては、例えば、合成樹脂素材によりＣ形に形成し、この固定具６１の一端を、切込溝５ｕｊ，パネル取付孔２２，切込溝５ｄｊ及びマットレス取付孔３２の順に差し込み、この後、固定具６１の両端に設けた結合部を結合し、Ｏ形に固定する機能を持たせることができる。
【００４７】
以上の製作手順により、図４に示す本実施形態に係る万能ストレッチャー１を得ることができる。
【００４８】
次に、本実施形態に係る万能ストレッチャー１の使用方法及び作用について、図１〜図７を参照して説明する。
【００４９】
最初に、万能ストレッチャー１を使用しない場合、即ち、保管時や携帯時に好適となる圧縮モードにする場合の操作手順について説明する。
【００５０】
図２（ｂ）のマットレス部２は、内部の弾性充填材１２が膨張拡大し、クッション性を有する使用モードにある状態を示している。なお、使用モードでは給排口本体１３ｍにキャップ１３ｃが装着されている。
【００５１】
今、この使用モードから圧縮モードにする場合を想定する。この場合、まず、図２（ｂ）に示すように、給排口本体１３ｍからキャップ１３ｃを取り外す。そして、マットレス部２の後側（給排口本体１３ｍが存在する側に対して反対側）から台座パネル部３と一緒に巻回操作を行う。この操作により、マットレス部２が加圧されるため、内部の弾性充填材１２が圧縮し、内部の空気は、給排口本体１３ｍから外部に排出される。
【００５２】
これにより、万能ストレッチャー１は、図６に示すように、ロール状に巻くことができるため、最後まで巻回操作したなら、バックルベルト７１によりロール形態を固定するとともに、キャップ１３ｃを給排口本体１３ｍに装着する。このように、マットレス部２は、弾性充填材１２の圧縮時に、ロール状に巻回可能であり、特に、フレキシブル性を有する台座パネル部３と一緒に巻回可能になる。したがって、圧縮モードにした場合には、全体のサイズダウンを図ることができ、水上及び地上のどちらで使用する場合であっても、その保管性及び携帯性を高めることができるなど、結果的に、迅速な使用が可能となる。
【００５３】
次に、万能ストレッチャー１を使用する場合、即ち、使用モードにするときの操作手順について説明する。例示は、海Ｓで被救助者を搬送する場合を示している。なお、万能ストレッチャー１は、図６に示す圧縮モードにあるものとする。
【００５４】
今、一例として、海Ｓで溺れた人が見つかり、救助が必要になった場合を想定する。この場合、図６に示す万能ストレッチャー１からバックルベルト７１を取り外すととも、給排口本体１３ｍからキャップ１３ｃを取り外す。これにより、圧縮状態の弾性充填材１２は自らの復元力（弾性復帰力）により膨張拡大する。この際、空気は自動で吸入され、図２（ｂ）に示す使用モードになるため、使用モードになったら取り外したキャップ１３ｃを給排口本体１３ｍに装着する。なお、前述したように、キャップ１３ｃを装着しない場合であっても万能ストレッチャー１に対する浮力は確保されるため、そのまま使用可能であり、緊急時にも対応することができる。したがって、この万能ストレッチャー１は、水上オートバイ等に搭載し、救助場所に着いたら使用モードに操作してもよいし、水上オートバイ等による救助場所への出発時にキャップ１３ｃを取り外し、万能ストレッチャー１を牽引しながら使用モードになるようにしてもよい。
【００５５】
そして、救助場所では、全てのバックルベルト４１…における雌側バックルメンバ４１ｊｐ…と雄側バックルメンバ４１ｊｑ…を離脱させ、図５に示すように、被搬送者（被救助者）Ｈを万能ストレッチャー１の上面に載せる。この時点における万能ストレッチャー１は適度のクッション性を有している。被搬送者を定位置に載せたら、各雌側バックルメンバ４１ｊｐ…と各雄側バックルメンバ４１ｊｑ…を装着し、被搬送者Ｈを固定する。被搬送者Ｈを搬送できる状態になったら、例えば、図５に示すように、前搬送用部材４ａに取付けた引張ロープ４ａｓを水上オートバイ等により牽引して搬送できる。
【００５６】
この後、海岸等の地上に到着したなら、引張ロープ４ａｓを前搬送用部材４ａから取り外し、前搬送用部材４ａと後搬送用部材４ｂを、二人の搬送者がそれぞれ手で持って搬送できるとともに、必要により横搬送用部材４ｃ…を持って搬送できる。また、搬送者が一人であっても、前搬送用部材４ａに取付けた引張ロープ４ａｓを一人で引張ることにより搬送可能である。
【００５７】
この際、本実施形態に係る万能ストレッチャー１は、特に、マットレス部２における上面部２ｕの少なくとも被搬送者Ｈが当接する部位Ｘｕ及びマットレス部２における下面部２ｄの少なくとも台座パネル部３が当接する部位Ｘｄを覆う所定の寸法Ｌｍに選定した網目Ｍ…を有する通水ネット部５を備えるため、図７に示すように、被搬送者Ｈと万能ストレッチャー１間の排水性，及びマットレス部２と台座パネル部３間の排水性が確保され、結果的に、図７に示す矢印Ｆｓｕ…，Ｆｓｄ…のように、万能ストレッチャー１全体の排水性が高められる。
【００５８】
したがって、被搬送者を載せた万能ストレッチャー１に残留水分等が存在する場合であっても、通水ネット部５により円滑かつ迅速に排水させることができ、万能ストレッチャー１の排水能力を飛躍的に高めることができる。これにより、水上であるか地上であるかに拘わらず、搬送時の重さが大きくなり無用な搬送労力が強いられる弊害を回避できるとともに、被搬送者に対する悪影響も回避することができる。
【００５９】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００６０】
例えば、マットレス部２として、クッション性を有するマットレスを例示したが、形状記憶マットレスなど、他の形態のマットレスを排除するものではない。また、台座パネル部３は、二層構造により構成した場合を例示したが、表面が滑りやすい合成樹脂素材を用いた一層構造とし、上面を滑りにくくする処理（コーティングや表面処理など）を施した形態であってもよい。さらに、通水ネット部５は、合成樹脂素材Ｒｎにより形成することが望ましいが、天然素材やゴム素材等の他の素材の使用を排除するものではない。また、通水ネット部５の網目Ｍ…は、０．８〜１．４平方ミリメートルの範囲に選定することが望ましいが、使用する用途等に応じてこの範囲を外れる選定を排除するものではない。
【産業上の利用可能性】
【００６１】
本発明に係る万能ストレッチャーは、地上及び水上（海上）を含む様々な環境で被搬送者を搬送する際に利用することができる。
【符号の説明】
【００６２】
１：万能ストレッチャー，２：マットレス部，２ｕ：マットレス部の上面部，２ｄ：マットレス部の下面部，３：台座パネル部，３ｕ：上側パネル体，３ｄ：下側パネル体，４ａ：搬送用部材，４ｂ：搬送用部材，４ｃ…：搬送用部材，５：通水ネット部，１１：被覆部材，１２：弾性充填材，１３：給排口部，Ｈ：被搬送者，Ｘｕ：被搬送者が当接する部位，Ｘｄ：台座パネル部が当接する部位，Ｌｍ：所定の寸法，Ｍ…：網目，Ｒｕ：第一の合成樹脂素材，Ｒｄ：第二の合成樹脂素材，Ｒｎ：合成樹脂素材
【図１】
2019025232.tif 000003
【図２】
2019025232.tif 000004
【図３】
2019025232.tif 000005
【図４】
2019025232.tif 000006
【図５】
2019025232.tif 000007
【図６】
2019025232.tif 000008
【図７】
2019025232.tif 000009